(57)【要約】      （修正有）【課題】痴漢などの不測の事態が発生した場合に、効果的に対応できる小型，軽量，低価格な警報ツールを提供する。【解決手段】発光体，導光体，ピクトグラム，ループスリットからなる表示ユニット，発光体駆動回路，発音体，発音体駆動回路，操作スイッチ，電池，ストラップ巻き取り構造からなる警報ユニット，ならびに，一対の導線を備え，発光体駆動回路の出力を表示ユニットの発光体に伝達してピクトグラムを照射表示する一本のストラップで構成し，肩に表示ユニットを配置して，ストラップでループスリットにより肩に巻き付けループを構成するとともに，発光ユニット，警報ユニットの一方，または両方に備えるクリップ部材により近傍の着衣の布部を摘み保持して，痴漢行為など不測の事態が予測される場合，軽度な場合，または重度な場合など，事態のレベルに応じて光と音を使い分けて，威嚇，警告，警報などを表示する。【選択図】図１
0003143252.tif 000002
【実用新案登録請求の範囲】
【請求項１】
発光体，導光体，ピクトグラム，ループスリットからなる表示ユニット，発光体駆動回路，発音体，発音体駆動回路，操作スイッチ，電池，ストラップ巻き取り機構からなる警報ユニット，ならびに，一対の導線を備えた一本のストラップで構成され，ストラップの片端部を表示ユニットに連結して，導線の端を発光体の電極端子に接続するとともに，他端部を巻き取り機構のプーリーに連結し、プーリーを回転させてストラップの引き出し，巻き戻しを制御するとともに，導線の端をプーリーとともに回転する受電部材に接続し，非回転の給電部材を受電部材に接触させて，発光体駆動回路の出力を発光体に伝達してピクトグラムを照射表示する警報ツールに関し，表示ユニットを肩に配置して，ストラップをループスリットで折り返して，肩に巻き付けループを構成して警報ユニットを吊り下げ，かつ，発光ユニット，警報ユニットの一方，または両方に備えるクリップ部材により近傍の着衣の布部を摘み保持することにより，発光ユニット，警報ユニットのズリを防ぎ，痴漢行為など不測の事態のレベルに応じて光と音を使い分けて，威嚇，警告，警報などを表示する，小型，軽量，低価格なサウンド・ライト警報ツール。
【請求項２】
時計，日時設定，記憶手段，ならびにＬＣＤ表示などの機能を備え，不測の事態により警報スイッチを操作して威嚇，警告，警報などの機能を作動させた日付，時刻を記憶し，必要に応じて表示，確認する機能を備える，請求項１に記載する，小型，軽量，低価格なサウンド・ライト警報ツール。
【考案の詳細な説明】
【技術分野】
【０００１】発光体，導光体，ピクトグラム，ループスリットからなる表示ユニット，発光体駆動回路，発音体，発音体駆動回路，操作スイッチ，電池，ストラップ巻き取り機構からなる警報ユニット，ならびに，一対の導線を備え，発光体駆動回路の出力を表示ユニットの発光体に伝達してピクトグラムを照射表示するストラップで構成する警報ツールに関し，肩などに表示ユニットを配置して，ストラップをループスリットで折り返して肩に巻き付けループを構成し，発光ユニット，警報ユニットの一方，または両方に備えるクリップ部材により近傍の着衣の布部を摘み保持することにより，痴漢行為など不測の事態が予測される場合，または事態が軽度な場合は，警報ユニットの操作スイッチを操作して発光体によりピクトグラムを照射表示して威嚇，警告を行い，重度な場合は発音体を鳴動させて警報するなど，事態のレベルに応じて光と音を使い分けて，威嚇，警告，警報などを表示するサウンド・ライト警報ツール。
【背景技術】
【０００２】痴漢などの不測の事態が発生した場合の警報ツールは種々考案，実用化されており，警報スイッチを押したり，紐を引いて起動して，電子音，合成音声，発光などにより知らせるなど多様な方法で警報を発し，防犯ブザーを兼ねるものが多い。しかし，その何れもが，混雑の中における痴漢行為に対する対応は不十分で，単なる防犯ブザー機能に留まるものであり，ポケットやカバンに収納したり，取り付けるタイプは緊急事態に速やかに対応することが難しいとともに，加害者の立ち位置が多様なため，光による警告は視認されない場合が多いとともに，常に大音響で警報を発するツールは，かえって不審者を興奮させて被害を大きくすることも考えられるなど，不測の事態のレベルに応じてのきめ細かい対応がなされていないとともに，ストラップにより肩などに掛けるタイプはズリ易いなど，種々の課題を有している。
【考案が解決しようとする課題】
【０００３】痴漢などの不測の事態が発生した場合に被害者は声も出せない程怯えるため，加害者がさらにエスカレートする場合が多々有る。かかる被害を抑止するためには，警報ツールが保持し易く緊急事態に操作が容易であること，装着した警報ツールがズリ落ちたり邪魔にならないこと，不測の事態が予測される場合における予防措置と，不測の事態発生に対する対抗措置それぞれのレベルに適した表示の対応を図るとともに，混雑の中における痴漢行為が，被害者の前後，左右の全方位から行われることに対して，全方位に表示することが可能な小型，軽量，低価格な警報ツールを提供する。
【課題を解決するための手段】
【０００４】発光体，導光体，ピクトグラム，ループスリットからなる表示ユニット，発光体駆動回路，発音体，発音体駆動回路，操作スイッチ，電池，ストラップ巻き取り構造からなる警報ユニット，ならびに，一対の導線を備え，発光体駆動回路の出力を表示ユニットの発光体に伝達してピクトグラムを照射表示する一本のストラップで構成し，肩に表示ユニットを配置して，ストラップでループスリットにより肩に巻き付けループを構成するとともに，発光ユニット，警報ユニットの一方，または両方に備えるクリップ部材により近傍の着衣の布部を摘み保持して，痴漢行為など不測の事態が予測される場合，軽度な場合，または重度な場合など，事態のレベルに応じて光と音を使い分けて、威嚇，警告，警報などを表示する。
【０００５】請求項２においては，請求項１に記載する機能に加えて，時計，日時設定，記憶手段，ならびにＬＣＤ表示などの機能を備え，威嚇，警告，警報などの機能を作動させた日付，時刻を記憶し，必要に応じて表示，確認する機能を備える。
【考案の効果】
【０００６】緊急事態の威嚇，警告などは，周囲から容易に視認できることが必要であり，このために，表示ユニットを肩に配置することが最も望ましく，しかも，操作部をできるだけ手元に近く配置することにより，不測の事態が発生した場合に警報ユニットの場所を探さずに，即座に操作スイッチを操作することができる。このため，肩に表示ユニットを配置して，ストラップをループスリットで折り返して肩に巻き付けループを構成するとともに，発光ユニット，警報ユニットの一方，または両方に備えるクリップ部材により近傍の着衣の布部を摘み保持することにより，表示ユニット，警報ユニットがズリ落ちることが無いとともに，表示ユニット，警報ユニットはともに小型，軽量なため邪魔になることはない。肩に配置したピクトグラムの照射表示により，身体の前後，左右の全方位からの目視可能であり，不審者の立ち位置によらず発光による威嚇，警告が可能である。威嚇，警告，警報の方法は不測の事態のレベルに応じて，予防措置と対抗措置に分け，さらに対抗措置を軽度と重度に分類して，それぞれに適した手段を光と音により表示し，大音響の音による警報は重度な場合に限ることにより，思い違いにより，かえって被害を大きくすることを回避出来るなど，従来の警報ツールが抱えていた課題を完全に解決することが出来る。
【０００７】不測の事態が予測される場合や，軽度な場合の威嚇，警告は，痴漢行為禁止のピクトグラムで表示することにより，威嚇，警告内容がより明確に示される。さらに，事態が重度な場合には，犬の吼え声などで警報を発することで，不審者に断念させる効果が大きい。また，請求項２においては，警察官などによる痴漢行為の取調べ時に具体的な証拠として提示することが可能である。
【考案を実施するための最良の形態】
【０００８】図１は，発光体駆動回路，発音体，発音体駆動回路，操作スイッチ，電池，ストラップ巻き取り機構からなる警報ユニット１，発光体，導光体，ピクトグラム，ループスリット４からなる表示ユニット２，一対の導線を備えた一本のストラップ３，発光ユニット，警報ユニットの一方，または両方に備えるクリップ部材で構成される，サウンド・ライト警報ツールの概念図を示す。サウンド・ライト警報ツールを肩に掛けた状態の概念図を図２に示す。表示ユニット２はストラップの片端部を連結し，導線をＬＥＤの電極端子に接続して，発光体駆動回路からの駆動電流によるＬＥＤの発光を導光体により面発光として，ピクトグラムを照射表示して，威嚇，警告を発する。表示ユニット２を肩に配置して，ストラップを肩に回してループスリット４で折り返して，巻き付けループ５を構成すること，ならびに発光ユニット，警報ユニットの一方，または両方に備えるクリップ部材６により近傍の着衣の布部を摘み保持することにより，単なるループ構成のストラップと比較して，肩からのズリ，脱落が起き難い。ループスリット４は図６に示すようにストラップ３をスリットに挟み込み，折り返す構造のため，ストラップの着脱は極めて容易であり，ストラップの厚みとスリット幅を適切に設定することにより，軽度のロック作用も得られる。【０００９】図３はブレーキ構造により回転規制されるプーリーによりストラップの引き出し長を設定する巻き取り機構の概念図を示す。ストラップ３，ブレーキ板１２，ストラップ巻き取り用プーリー１３，ブレーキ板の回転を規制，解除するブレーキシュー１１，ブレーキシューを制御するブレーキボタン９で構成される。ブレーキボタンが押されてブレーキシューがブレーキ板から外れた状態ではプーリーは回転フリーとなり，ストラップは引き出し可能であり，ブレーキシューがブレーキ板を押下している状態ではプーリーは回転が規制されストラップの引き出しが阻止され，長さが固定される。１０はブレーキシューに押圧を加えプーリーの回転を規制するブレーキバネである。ストラップの引き出し，巻き戻し操作は，ブレーキシューを押してプーリーの回転をフリーにした状態で，ストラップを手で引き出し，巻き戻しは，手でプーリーに繋がるノブを巻き戻し方向に回転させる。【００１０】図４は，プーリーの回転に影響されずに，ストラップが備える導線に対して発光体駆動回路の出力を供給する給電，受電部材を示す。１８，１９は発光体駆動回路の出力に接続される非回転のブラシ構造の給電部材であり，プーリーと共に回転する受電部材１６，１７と接触して信号の供給が維持される。１６，１７で受電された信号はストラップの導線１４，１５に接続されて発光体に伝達され，ピクトグラムを照射表示する。痴漢行為警告のピクトグラムの例を図５に示す。ピクトグラムは導光体のアクリル樹脂の内部にレーザー加工で表示したり，表面に表示する。痴漢行為警告などをピクトグラムで表示することにより，威嚇，警告内容がより正確に示される利点が大きい。【００１１】不測の事態が予測される場合は予防措置として，操作スイッチ７を操作して，電源を投入して，発光体を弱発光させて威嚇し，軽度な事態が発生した場合の対抗措置は警報スイッチ８を操作して発光体を強発光させて警告する。さらに重度な場合は警報スイッチ８を再度操作することにより発音体による音を発して警告する。警報スイッチ８は一回の操作で発光体を強発光させ，再操作で発音体により警報音を鳴動させるが，警報音は電源を断するまで継続される。警報音としては，犬の吼え声などをメモリーに記憶させておき，スピーカーなどで拡声する。警報機能を作動させる場合のレベルに応じて，予防措置と対抗措置，さらに対抗措置を軽度と重度に分類してそれぞれに適した対処を講ずることにより，思い違いによる威嚇，警告や，かえって加害者を興奮させて被害を大きくする警報などを回避することが出来るなど，きめの細かい対応がなされる。【００１２】図７は本考案によるサウンド・ライト警報ツールの回路構成概念図を示す。発振回路２０の周波数を分周回路２１で所定分周し，発光制御回路２２で所要の発光サイクル，発光強度などが設定され，発光体駆動回路２３により発光体のＬＥＤを駆動する。２４はストラップ巻き取り機構である。２は表示ユニットであり，２５はＬＥＤであり，ＬＥＤは間歇点灯により消費電力の低減を図る。操作スイッチ７，８はスイッチ制御回路２６で制御され，スイッチ７により電源の投入，ＬＥＤの弱発光を，スイッチ８の一回操作でＬＥＤの強発光，二回操作で警報音を鳴動させる。ＬＥＤの弱発光と強発光は，点灯周期や点灯電流値により設定する。警報音はメモリー２７から読み出され，発音制御回路２８で聴音化され，発音体駆動回路２９によりスピーカー３０を駆動して拡声する。電池３１はインバーター３２により所要昇圧して使用される。
【実施例】
【００１３】警報ユニットはプラスチツクなどの樹脂材で構成し，Ｄ×Ｗ×Ｈは３×６×４ｃｍ，発光体はアクリルなどの樹脂材で構成し，０．５×４×４ｃｍ，ストラップはナイロンなどの繊維材に銅などの導線を内装し，厚×幅×長は２ｍｍ×１８ｍｍ×１ｍのベルト状，またはφ３ｍｍ，長さ１ｍの紐状で良い。表示ユニットのベース部に関しては，肩に馴染み易くするために，肩に沿って軽く湾曲形状にするることも有効である。発光体としてはＬＥＤ，ＥＬなどが適しており，発音体としては，スピーカー，ブザー，バイブレーターなどが適している。また，ストラップ巻き取り機構に関して，警報ユニットは軽量なためストラップの引き出し，巻き戻しはブレーキ構造で手操作としたが，ラチエット構造でゼンマイによる回転付与機能による自動巻き戻しも可能であ。表示ユニットのピクトグラムや表示ユニット，警報ユニットのクリップ部材などは，サウンド・ライト警報ツールを左右いずれの肩に巻き付けて使用しても不都合が生じないように，表示方向やクリップ方向を回転や反転などにより任意の方向に設定出来る構造とするとともに，事態を威嚇，警告，警報に三分類せず，警告と警報の二分類としたり，事態の継続時間を計数して，順次レベルを上げていくなど種々のパターンが考えられるなど，各種ディメンジョン，材質，機能などに関しては，本考案の趣旨を逸脱しない範囲であれば種々変形実施が可能である。
【図面の簡単な説明】
【００１４】
【図１】  本考案によるサウンド・ライト警報ツールの概念図を示す
【図２】  サウンド・ライト警報ツールを肩に掛けた状態の概念図を示す
【図３】  ストラップ巻取り機構の概念図を示す
【図４】  ストラップの導線，ならびに受電部材，給電部材の概念図を示す
【図５】  痴漢行為警告のピクトグラムの例を示す
【図６】  スリットループの概念図を示す
【図７】  サウンド・ライト警報ツールの回路構成概略図を示す
【符号の説明】
１  警報ユニット                    １８  給電部材
２  表示ユニット                    １９  給電部材
３  ストラップ                      ２０  発振回路
４  ループスリット                  ２１  分周回路
５  巻き付けループ                  ２２  発光制御回路
６  クリップ部材                    ２３  発光体駆動回路
７  操作スイッチ                    ２４  巻き取り機構
８  操作スイッチ                    ２５  ＬＥＤ
９  ブレーキボタン                  ２６  スイッチ制御回路
１０  ブレーキバネ                    ２７  メモリー
１１  ブレーキシュー                  ２８  発音制御回路
１２  ブレーキ板                      ２９  発音体駆動回路
１３  プーリー                        ３０  スピーカー
１４  導線                            ３１  電池
１５  導線                            ３２  インバータ
１６  受電部材
１７  受電部材
【図１】
0003143252.tif 000003
【図２】
0003143252.tif 000004
【図３】
0003143252.tif 000005
【図４】
0003143252.tif 000006
【図５】
0003143252.tif 000007
【図６】
0003143252.tif 000008
【図７】
0003143252.tif 000009
【手続補正書】
【提出日】平成20年4月22日(2008.4.22)
【手続補正１】
【補正対象書類名】実用新案登録請求の範囲
【補正対象項目名】全文
【補正方法】変更
【補正の内容】
【実用新案登録請求の範囲】
【請求項１】
発光体，導光体，ピクトグラム，ループスリットからなる表示ユニット，発光体駆動回路，発音体，発音体駆動回路，操作スイッチ，電池，ストラップ巻き取り機構からなる警報ユニット，ならびに，一対の導線を備えた一本のストラップで構成され，ストラップの片端部を表示ユニットに連結して，導線の端を発光体の電極端子に接続するとともに，他端部を巻き取り機構のプーリーに連結し，プーリーを回転させてストラップの引き出し，巻き戻しを制御するとともに，導線の端をプーリーとともに回転する受電部材に接続し，非回転の給電部材を受電部材に接触させて，発光体駆動回路の出力を発光体に伝達してピクトグラムを照射表示する警報ツールに関し，表示ユニットを肩に配置して，ストラップをループスリットで折り返して，肩に巻き付けループを構成して警報ユニットを吊り下げ，かつ，表示ユニット，警報ユニット，ストラップのいずれか，または複数に備えるクリップ部材により近傍の着衣の布部を摘み保持することにより，表示ユニット，警報ユニットのズリを防ぎ，痴漢行為など不測の事態のレベルに応じて光と音を使い分けて，威嚇，警告，警報などを表示する，小型，軽量，低価格なサウンド・ライト警報ツール。
【請求項２】
時計，日時設定，記憶手段，ならびにＬＣＤ表示などの機能を備え，不測の事態により警報スイッチを操作して威嚇，警告，警報などの機能を作動させた日付，時刻を記憶し，必要に応じて表示，確認する機能を備える，請求項１に記載する，小型，軽量，低価格なサウンド・ライト警報ツール。
【手続補正２】
【補正対象書類名】明細書
【補正対象項目名】０００１
【補正方法】変更
【補正の内容】
【０００１】発光体，導光体，ピクトグラム，ループスリットからなる表示ユニット，発光体駆動回路，発音体，発音体駆動回路，操作スイッチ，電池，ストラップ巻き取り機構からなる警報ユニット，ならびに，一対の導線を備え，発光体駆動回路の出力を表示ユニットの発光体に伝達してピクトグラムを照射表示するストラップで構成する警報ツールに関し，肩などに表示ユニットを配置して，ストラップをループスリットで折り返して肩に巻き付けループを構成し，表示ユニット，警報ユニット，ストラップのいずれか，または複数に備えるクリップ部材により近傍の着衣の布部を摘み保持することにより，痴漢行為など不測の事態が予測される場合，または事態が軽度な場合は，警報ユニットの操作スイッチを操作して発光体によりピクトグラムを照射表示して威嚇，警告を行い，重度な場合は発音体を鳴動させて警報するなど，事態のレベルに応じて光と音を使い分けて，威嚇，警告，警報などを表示するサウンド・ライト警報ツール。
【手続補正３】
【補正対象書類名】明細書
【補正対象項目名】０００４
【補正方法】変更
【補正の内容】
【０００４】発光体，導光体，ピクトグラム，ループスリットからなる表示ユニット，発光体駆動回路，発音体，発音体駆動回路，操作スイッチ，電池，ストラップ巻き取り構造からなる警報ユニット，ならびに，一対の導線を備え，発光体駆動回路の出力を表示ユニットの発光体に伝達してピクトグラムを照射表示する一本のストラップで構成し，肩に表示ユニットを配置して，ストラップでループスリットにより肩に巻き付けループを構成するとともに，表示ユニット，警報ユニット，ストラップのいずれか，または複数に備えるクリップ部材により近傍の着衣の布部を摘み保持して，痴漢行為など不測の事態が予測される場合，軽度な場合，または重度な場合など，事態のレベルに応じて光と音を使い分けて、威嚇，警告，警報などを表示する。
【手続補正４】
【補正対象書類名】明細書
【補正対象項目名】０００６
【補正方法】変更
【補正の内容】
【０００６】緊急事態の威嚇，警告などは，周囲から容易に視認できることが必要であり，このために，表示ユニットを肩に配置することが最も望ましく，しかも，操作部をできるだけ手元に近く配置することにより，不測の事態が発生した場合に警報ユニットの場所を探さずに，即座に操作スイッチを操作することができる。このため，肩に表示ユニットを配置して，ストラップをループスリットで折り返して肩に巻き付けループを構成するとともに，表示ユニット，警報ユニット，ストラップのいずれか，または複数に備えるクリップ部材により近傍の着衣の布部を摘み保持することにより，表示ユニット，警報ユニットがズリ落ちることが無いとともに，表示ユニット，警報ユニットはともに小型，軽量なため邪魔になることはない。肩に配置したピクトグラムの照射表示により，身体の前後，左右の全方位からの目視可能であり，不審者の立ち位置によらず発光による威嚇，警告が可能である。威嚇，警告，警報の方法は不測の事態のレベルに応じて，予防措置と対抗措置に分け，さらに対抗措置を軽度と重度に分類して，それぞれに適した手段を光と音により表示し，大音響の音による警報は重度な場合に限ることにより，思い違いにより，かえって被害を大きくすることを回避出来るなど，従来の警報ツールが抱えていた課題を完全に解決することが出来る。
【手続補正５】
【補正対象書類名】明細書
【補正対象項目名】０００８
【補正方法】変更
【補正の内容】
【０００８】図１は，発光体駆動回路，発音体，発音体駆動回路，操作スイッチ，電池，ストラップ巻き取り機構からなる警報ユニット１，発光体，導光体，ピクトグラム，ループスリット４からなる表示ユニット２，一対の導線を備えた一本のストラップ３，表示ユニット，警報ユニット，ストラップのいずれか，または複数に備えるクリップ部材で構成される，サウンド・ライト警報ツールの概念図を示す。サウンド・ライト警報ツールを肩に掛けた状態の概念図を図２に示す。表示ユニット２はストラップの片端部を連結し，導線をＬＥＤの電極端子に接続して，発光体駆動回路からの駆動電流によるＬＥＤの発光を導光体により面発光として，ピクトグラムを照射表示して，威嚇，警告を発する。表示ユニット２を肩に配置して，ストラップを肩に回してループスリット４で折り返して，巻き付けループ５を構成すること，ならびに表示ユニット，警報ユニット，ストラップのいずれか，または複数に備えるクリップ部材６により近傍の着衣の布部を摘み保持することにより，単なるループ構成のストラップと比較して，肩からのズリ，脱落が起き難い。ループスリット４は図６に示すようにストラップ３をスリットに挟み込み，折り返す構造のため，ストラップの着脱は極めて容易であり，ストラップの厚みとスリット幅を適切に設定することにより，軽度のロック作用も得られる。
【手続補正６】
【補正対象書類名】明細書
【補正対象項目名】００１３
【補正方法】変更
【補正の内容】
【００１３】警報ユニットはプラスチツクなどの樹脂材で構成し，Ｄ×Ｗ×Ｈは３×６×４ｃｍ，発光体はアクリルなどの樹脂材で構成し，０．５×４×４ｃｍ，ストラップはナイロンなどの繊維材に銅などの導線を内装し，厚×幅×長は２ｍｍ×１８ｍｍ×１ｍのベルト状，またはφ３ｍｍ，長さ１ｍの紐状で良い。表示ユニットのベース部に関しては，肩に馴染み易くするために，肩に沿って軽く湾曲形状にするることも有効である。発光体としてはＬＥＤ，ＥＬなどが適しており，発音体としては，スピーカー，ブザー，バイブレーターなどが適している。また，ストラップ巻き取り機構に関して，警報ユニットは軽量なためストラップの引き出し，巻き戻しはブレーキ構造で手操作としたが，ラチエット構造でゼンマイによる回転付与機能による自動巻き戻しも可能であ。ストラップに取り付けるクリップ部材は，引き出したストラップ上を移動できる構成とすることが望ましい。また，表示ユニットのピクトグラム，ならびに表示ユニット，警報ユニット，ストラップなどのクリップ部材は，サウンド・ライト警報ツールを左右いずれの肩に巻き付けて使用しても不都合が生じないように，表示方向やクリップ方向を回転や反転などにより任意の方向に設定出来る構造とするとともに，事態を威嚇，警告，警報に三分類せず，警告と警報の二分類としたり，事態の継続時間を計数して，順次レベルを上げていくなど種々のパターンが考えられるなど，各種ディメンジョン，材質，機能などに関しては，本考案の趣旨を逸脱しない範囲であれば種々変形実施が可能である。